(57)【要約】【課題】扉の開閉方向を容易に変更できる冷蔵庫を提供する。【解決手段】本体部２に設けられる貯蔵室３の前面開口部を開閉する扉４の開閉方向を左開きと右開きとに変更できる冷蔵庫１において、扉４に設けられる操作部５と、操作部５から導出して扉４の内部に配されるとともに扉４の左右端に分岐する第１、第２リード線１１、１２と、本体部２の内部から上面の左右の一端に延出して第１リード線１１との接続により操作部５に給電できる第３リード線１３と、本体部２の内部から上面の左右の他端に延出して第２リード線１２との接続により操作部５に給電できる第４リード線１４と、本体部２の一端に配されるとともに接続された第１、第３リード線１１、１３を覆う接続部カバー２１と、本体部２の他端に配されて第４リード線１４を覆う本体部カバー４１と、扉２の他端に配されて第２リード線１２を覆う扉カバー３１とを備えた。【選択図】図２
2010216780.tif 000002
【特許請求の範囲】
【請求項１】
本体部に設けられる貯蔵室の前面開口部を開閉する扉の開閉方向を左開きと右開きとに変更できる冷蔵庫において、前記扉に設けられる操作部と、前記操作部から導出して前記扉の内部に配されるとともに前記扉の左右端に分岐する第１、第２リード線と、前記本体部の内部から上面の左右の一端に延出して第１リード線との接続により前記操作部に給電できる第３リード線と、前記本体部の内部から上面の左右の他端に延出して第２リード線との接続により前記操作部に給電できる第４リード線と、前記本体部の一端に配されるとともに接続された第１、第３リード線を覆う接続部カバーと、前記本体部の他端に配されて第４リード線を覆う本体部カバーと、前記扉の他端に配されて第２リード線を覆う扉カバーとを備えたことを特徴とする冷蔵庫。
【請求項２】
第１、第３リード線の先端に設けたコネクタの周囲及び下方を覆って互いに接続されたこれらのコネクタを収納する第１コネクタ収納部を前記接続部カバー内に設けたことを特徴とする請求項１に記載の冷蔵庫。
【請求項３】
第１コネクタ収納部の底面が前記本体部の上面に対して隙間を有することを特徴とする請求項２に記載の冷蔵庫。
【請求項４】
第２リード線の先端に設けたコネクタの周囲及び下方を覆って該コネクタを収納する第２コネクタ収納部を前記扉カバー内に設けたことを特徴とする請求項２または請求項３に記載の冷蔵庫。
【請求項５】
第２コネクタ収納部の底面が前記本体部の上面に対して隙間を有することを特徴とする請求項４に記載の冷蔵庫。
【請求項６】
第２コネクタ収納部の底面が開閉自在に形成され、第２コネクタ収納部から第２リード線の先端が突出した際に該底面が閉じられないようにしたことを特徴とする請求項４または請求項５に記載の冷蔵庫。
【請求項７】
前記操作部は前記扉の左右方向の中央部に配置されるとともに下端が前記扉の下端まで延びて形成され、第１、第２リード線が前記扉の下端に沿って左右に延びるとともに前記扉の側端に沿って上方に延びることを特徴とする請求項１〜請求項６のいずれかに記載の冷蔵庫。
【発明の詳細な説明】
【技術分野】
【０００１】
本発明は、扉の開閉方向を右開きと左開きとに変更できる冷蔵庫に関する。
【背景技術】
【０００２】
従来の冷蔵庫は特許文献１に開示されている。この冷蔵庫は本体部に設けた貯蔵室の前面開口部が扉により開閉される。扉の左右端の上下面には枢支軸となるピンが取付可能に形成され、本体部の左右端には支持部材が設けられる。ピンは例えば扉の右側に設けられ、支持部材によりピンを支持して扉が枢支される。これにより、扉が右開きに形成される。また、ピンを扉の左側に取り付けると、扉の開閉方向を左開きにすることができる。
【先行技術文献】
【特許文献】
【０００３】
【特許文献１】特開２００７−８５６１４号公報（第５頁−第１１頁、図２Ａ）
【発明の概要】
【発明が解決しようとする課題】
【０００４】
しかしながら、上記従来の冷蔵庫によると、扉の前面に操作部が設けられた場合に操作部に給電するリード線を設ける必要がある。この時、リード線は本体部から離れないように扉の枢支側を介して本体部側に接続される。このため、扉の開閉方向を変更する際にリード線の取り回しを変更する繁雑な作業を必要とする問題があった。
【０００５】
本発明は、扉の開閉方向を容易に変更できる冷蔵庫を提供することを目的とする。
【課題を解決するための手段】
【０００６】
上記目的を達成するために本発明は、本体部に設けられる貯蔵室の前面開口部を開閉する扉の開閉方向を左開きと右開きとに変更できる冷蔵庫において、前記扉に設けられる操作部と、前記操作部から導出して前記扉の内部に配されるとともに前記扉の左右端に分岐する第１、第２リード線と、前記本体部の内部から上面の左右の一端に延出して第１リード線との接続により前記操作部に給電できる第３リード線と、前記本体部の内部から上面の左右の他端に延出して第２リード線との接続により前記操作部に給電できる第４リード線と、前記本体部の一端に配されるとともに接続された第１、第３リード線を覆う接続部カバーと、前記本体部の他端に配されて第４リード線を覆う本体部カバーと、前記扉の他端に配されて第２リード線を覆う扉カバーとを備えたことを特徴としている。
【０００７】
この構成によると、扉に操作部が設けられ、操作部から延びる第１、第２リード線は扉の左右端に分岐して配される。本体部には第３、第４リード線がそれぞれ左右端に延出される。第１、第３リード線の接続または第２、第４リード線の接続によって操作部に給電される。接続された第１、第３リード線は本体部に設けた接続部カバーにより覆われる。第４リード線は本体部に設けた本体部カバーにより覆われる。第２リード線は扉に設けた扉カバーにより覆われる。これにより、第１〜第４リード線が隠蔽される。第２、第４リード線を接続して接続部カバーにより覆い、第１、第３リード線をそれぞれ扉カバー及び本体部カバーで覆うことにより扉の開閉方向が変更される。
【０００８】
また本発明は、上記構成の冷蔵庫において、第１、第３リード線の先端に設けたコネクタの周囲及び下方を覆って互いに接続されたこれらのコネクタを収納する第１コネクタ収納部を前記接続部カバー内に設けたことを特徴としている。
【０００９】
この構成によると、第１、第３リード線の先端にはそれぞれコネクタが設けられ、両コネクタを接続して第１、第３リード線が導通する。接続された両コネクタは接続部カバー内に設けた第１コネクタ収納部内に配される。第１コネクタ収納部はコネクタの周囲及び下方を覆い、本体部の上面に覆水した際に第１コネクタ収納部によってコネクタの浸水が防止される。また、第１コネクタ収納部の底面の厚みによってコネクタと本体部とが離れるため、安全規格上の沿面距離を確保し易くなる。
【００１０】
また本発明は、上記構成の冷蔵庫において、第１コネクタ収納部の底面が前記本体部の上面に対して隙間を有することを特徴としている。この構成によると、本体部の上面に覆水した際に第１コネクタ収納部の底面と本体部の上面との隙間によってコネクタの浸水が防止されるとともに、安全規格上の沿面距離をより確保し易くなる。
【００１１】
また本発明は、上記構成の冷蔵庫において、第２リード線の先端に設けたコネクタの周囲及び下方を覆って該コネクタを収納する第２コネクタ収納部を前記扉カバー内に設けたことを特徴としている。この構成によると、第２リード線の先端に設けられたコネクタは扉カバー内に設けた第２コネクタ収納部内に配される。第２コネクタ収納部はコネクタの周囲及び下方を覆い、扉の上面に覆水した際に第２コネクタ収納部によってコネクタの浸水が防止される。また、第２コネクタ収納部の底面の厚みによってコネクタと扉とが離れるため、安全規格上の沿面距離を確保し易くなる。
【００１２】
また本発明は、上記構成の冷蔵庫において、第２コネクタ収納部の底面が前記本体部の上面に対して隙間を有することを特徴としている。この構成によると、扉の上面に覆水した際に第２コネクタ収納部の底面と扉の上面との隙間によってコネクタの浸水が防止されるとともに、安全規格上の沿面距離をより確保し易くなる。
【００１３】
また本発明は、上記構成の冷蔵庫において、第２コネクタ収納部の底面が開閉自在に形成され、第２コネクタ収納部から第２リード線の先端が突出した際に該底面が閉じられないようにしたことを特徴としている。この構成によると、第２リード線の先端のコネクタ部が確実に第２コネクタ収納部内に収納される。
【００１４】
また本発明は、上記構成の冷蔵庫において、前記操作部は前記扉の左右方向の中央部に配置されるとともに下端が前記扉の下端まで延びて形成され、第１、第２リード線が前記扉の下端に沿って左右に延びるとともに前記扉の側端に沿って上方に延びることを特徴としている。
【００１５】
この構成によると、操作部は扉の左右方向の中央部に配され、開閉方向が変更されても操作部が同様の使用勝手になる。また、操作部は扉の下端まで延びて形成され、操作部から導出される第１、第２リード線は扉の下端及び側端に沿って配される。これにより、第１、第２リード線を扉の表面に沿って配置することや扉の内部を横切って配置することによる扉内部の発泡断熱材の流動の阻害が防止される。
【発明の効果】
【００１６】
本発明によると、扉の操作部から第１、第２リード線が左右に分岐して本体部の左右端に第３、第４リード線が設けられ、第１、第３リード線の接続または第２、第４リード線の接続によって操作部に給電できるので、扉の開閉方向を変更する際に配線の取り回し作業を必要としない。また、接続された第１、第３リード線を接続部カバーで覆い、第２、第４リード線をそれぞれ扉カバー及び本体部カバーで覆うので、第１〜第４リード線を容易に隠蔽することができる。従って、扉の開閉方向を容易に変更することができる。
【図面の簡単な説明】
【００１７】
【図１】本発明の実施形態の冷蔵庫の上部を示す正面図
【図２】本発明の実施形態の冷蔵庫の上部を示す右側面断面図
【図３】本発明の実施形態の冷蔵庫の上部を示す左側面断面図
【図４】本発明の実施形態の冷蔵庫の結線前の扉を背面から見た断面図
【図５】本発明の実施形態の冷蔵庫の結線前の扉を示す上面図
【図６】本発明の実施形態の冷蔵庫の扉カバーを取り付けた扉を示す上面図
【図７】本発明の実施形態の冷蔵庫の扉カバーを取り付けた扉を示す背面図
【図８】図７のＨ部拡大図
【図９】本発明の実施形態の冷蔵庫の扉カバーを分離した扉を示す背面図
【図１０】本発明の実施形態の冷蔵庫の扉カバーを示す底面図
【図１１】本発明の実施形態の冷蔵庫の本体部を示す上面図
【図１２】本発明の実施形態の冷蔵庫の接続部カバーを取り付け時の状態を正面から視た図
【図１３】本発明の実施形態の冷蔵庫の接続部カバーを示す正面断面図
【図１４】本発明の実施形態の冷蔵庫の本体部カバーを取り付け時の状態を正面から視た図
【図１５】本発明の実施形態の冷蔵庫の本体部カバーを示す正面断面図
【発明を実施するための形態】
【００１８】
以下に本発明の実施形態を図面を参照して説明する。図１、図２、図３は一実施形態の冷蔵庫の上部を示す正面図、右側面断面図及び左側面断面図である。冷蔵庫１は本体部２に設けた貯蔵室３の前面開口部が扉４により開閉される。本体部２及び扉４には発泡ウレタン等の発泡断熱材２ａ、４ａがそれぞれ充填される。
【００１９】
扉４の枢支軸となるピン（不図示）は扉４及び本体部２の左右どちらにも取り付けることができ、扉４の開閉方向を右開きと左開きとに変更可能になっている。尚、本実施形態は扉４が右開きの状態を示している。
【００２０】
扉４の前面には貯蔵室３の温度設定等を行う操作部５が設けられる。扉４内には操作部５から導出される第１、第２リード線１１、１２が埋設される。第１、第２リード線１１、１２はそれぞれ扉４の右側壁及び左側壁に沿って配される。
【００２１】
本体部２には電装部（不図示）が設けられ、電装部から導出される第３、第４リード線１３、１４が本体部２内に埋設される。第３、第４リード線１３、１４は本体部２の上面の右端部及び左端部にそれぞれ設けた傾斜面１７、１８に開口する開口部１７ａ、１８ａからそれぞれ延出される。
【００２２】
扉４が右開きの時は右側に配される第１、第３リード線１１、１３が接続される。扉４が左開きの時は左側に配される第２、第４リード線１２、１４が接続される。これにより、電装部から操作部５に給電を行うことができる。従って、扉４の開閉方向を変更しても煩雑な配線の取り回しを行う必要がない。
【００２３】
接続された第１、第３リード線１１、１３は本体部２の上面に設けた接続部カバー２１により覆われる。未接続の第２リード線１２は扉４の上面に設けた扉カバー３１により覆われる。未接続の第４リード線１４は本体部２の上面に設けた本体部カバー４１により覆われる。接続部カバー２１、扉カバー３１及び本体部カバー４１によって第１〜第４リード線１１〜１４を隠蔽し、配線の露出による美感の低下を防止することができる。
【００２４】
図４、図５は結線前の扉４の背面から見た断面図及び上面図を示している。操作部５は扉４の左右方向の中央部に配され、扉４の下端まで延びて形成される。第１、第２リード線１１、１２は操作部５に沿って扉４の下端まで延び、扉４の下端に沿って左右に延びる。そして、第１、第２リード線１１、１２は扉４の側端に沿って上方に延び、上面に設けた開口部１１ａ、１２ａからそれぞれ取り出される。
【００２５】
第１、第２リード線１１、１２が扉４の表面の平坦部分に配置される場合や扉４の内部を横切って配置される場合には扉４内部の発泡断熱材４ａの流動が阻害される。第１、第２リード線１１、１２が操作部５、扉４の下端及び扉４の側端に沿って配されるため発泡断熱材４ａの流れが阻害されず、扉４の凹みによる不良を低減することができる。
【００２６】
図６、図７は扉４に扉カバー３１を取り付けた状態を示す上面図及び背面図である。扉４の上面は上部カバー４ｂにより覆われ、上部カバー４ｂは前部に対して低い段差部４ｃが後部に形成される。扉カバー３１は段差部４ｃ上にネジ３０により取り付けられる。これにより、扉カバー３１の正面からの視認が防止される。
【００２７】
図８は図７のＨ部の拡大図を示している。扉カバー３１の上面にはボス部３１ａが凹設され、ボス部３１ａの下面が上カバー４ｂの段差部４ｃに接する。ネジ３０はボス部３１ａに挿入して段差部４ｃに螺合され、扉カバー３１を固定する。
【００２８】
第２リード線１２の先端には第４リード線１４と接続可能なコネクタ１２ｂが設けられる。コネクタ１２ｂは扉カバー３１内に設けたコネクタ収納部３４（第２コネクタ収納部）内に配される。コネクタ収納部３４は収納部カバー３３により形成される。収納部カバー３３は扉カバー３１に設けたボス孔３１ｂに扉カバー３１の内側からネジ３２を螺合して取り付けられる。
【００２９】
図９に示すように、収納部カバー３３の底面は下方に開閉する蓋部３３ａにより形成される。蓋部３３ａを開いてコネクタ１２ｂをコネクタ収納部３４内に収納し、蓋部３３ａを閉じた後に扉カバー３１が取り付けられる。蓋部３３ａを閉じた際に係止する爪部を設けてもよい。
【００３０】
この時の扉カバー３１の底面図を図１０に示す。コネクタ収納部３４内で第２リード線１２が折曲され、コネクタ１２ｂがコネクタ収納部３４内に配される。第２リード線１２は収納部カバー３３の一端に設けた開口部３３ｂ介してコネクタ収納部３４内に入れられる。
【００３１】
ボス３１ａは開口部３３ｂに近設され、開口部３３ｂから一束のみの第２リード線１２が通るようになっている。即ち、第２リード線１２を折曲して先端のコネクタ１２ｂがコネクタ収納部３４から突出すると蓋部３３ａを閉じられない。これにより、コネクタ１２ｂを確実にコネクタ収納部３４内に配置することができる。開口部３３ｂの開口面積を二重の第２リード線１２が通らない大きさに形成してもよい。
【００３２】
図８において、コネクタ収納部３４は扉カバー３１及び収納部カバー３３により周囲が覆われ、収納部カバー３３の蓋部３３ａにより下面が覆われる。また、蓋部３３ａの周囲には上方に突出するリブ３３ｄが設けられる。これにより、扉４上に覆水した際に、導体が露出するコネクタ１２ｂの浸水を防止することができる。また、蓋部３３ａの厚みによってコネクタ１２ｂと扉４とが離れるため、安全規格上の沿面距離を確保し易くなる。
【００３３】
また、コネクタ収納部３４の底面を形成する蓋部３３ａは扉４の上面の段差部４ｃに対して隙間Ｄを有している。これにより、扉４上に覆水した際のコネクタ１２ｂの浸水をより確実に防止することができるとともに、安全規格上の沿面距離をより確保し易くなる。
【００３４】
図１１は本体部２の上面図を示している。本体部２の上面の右端部に接続部カバー２１が配され、左端部に本体部カバー４１が配される。接続部カバー２１は本体部２から前方に突出するヒンジ部２１ｃを有している。ヒンジ部２１ｃにより扉４の枢支軸となるピン（不図示）を支持する支持部材（不図示）が覆われる。
【００３５】
図１２は接続部カバー２１の取り付け時の状態を正面から見た図を示し、図１３は接続部カバー２１の正面断面図を示している。接続部カバー２１の上面には前述の図８と同様にボス部２１ａが凹設され、ボス部２１ａの下面が本体部２の上面に接する。ボス部２１ａに挿通されるネジ（不図示）が本体部２に螺合され、接続部カバー２１が固定される。
【００３６】
第１、第３リード線１１、１３の先端にはコネクタ１１ｂ、１３ｂが設けられる。互いに接続されたコネクタ１１ｂ、１３ｂは接続部カバー２１内に設けたコネクタ収納部２４（第１コネクタ収納部）内に配される。コネクタ収納部２４は収納部カバー２３により形成される。収納部カバー２３は接続部カバー２１に設けたボス孔２１ｂにネジ２２を螺合して取り付けられる。
【００３７】
収納部カバー２３の底面は下方に開閉する蓋部２３ａにより形成される。蓋部２３ａを開いて収納部カバー２３の両端面に設けた開口部２３ｂ、２３ｃを介して第１、第３リード線１１、１３がコネクタ収納部２４内に入れられる。蓋部２３ａを閉じると蓋部２３ａの先端に設けた爪部２３ｅが収納部カバー２３の周面に係止される。そして、接続部カバー２１が本体部２に取り付けられる。
【００３８】
この時、第３リード線１３は延びた状態でコネクタ収納部２４に配置される長さに形成される。接続部カバー２１は後端を支点に回動させることにより、コネクタ１１ｂ、１３ｂを容易に接続してコネクタ収納部２４内に配することができる。これにより、コネクタ１１ｂ、１３ｂを確実にコネクタ収納部２４内に配置することができる。
【００３９】
コネクタ収納部２４は収納部カバー２３により周囲及び下面が覆われる。また、蓋部２３ａの周囲には上方に突出するリブ２３ｄが設けられる。これにより、本体部２上に覆水した際に、導体が露出するコネクタ１１ｂ、１３ｂの浸水を防止することができる。また、蓋部２３ａの厚みによってコネクタ１１ｂ、１３ｂと本体部２とが離れるため、安全規格上の沿面距離を確保し易くなる。
【００４０】
また、コネクタ収納部２４の底面を形成する蓋部２３ａは本体部２の上面に対して隙間Ｄを有している。これにより、本体部２４上に覆水した際のコネクタ１１ｂ、１３ｂの浸水をより確実に防止することができるとともに、安全規格上の沿面距離をより確保し易くなる。
【００４１】
図１４は本体部カバー４１の取り付け時の状態を正面から見た図を示し、図１５は本体部カバー４１の正面断面図を示している。本体部カバー４１の上面には前述の図８と同様にボス部４１ａが凹設され、ボス部４１ａの下面が本体部２の上面に接する。ボス部４１ａに挿通されるネジ（不図示）が本体部２に螺合され、本体部カバー４１が固定される。
【００４２】
第４リード線１４の先端には第２リード線１２のコネクタ１２ｂと接続可能なコネクタ１４ｂが設けられる。コネクタ１４ｂは本体部カバー４１内に設けたコネクタ収納部４４内に配される。コネクタ収納部４４は接続部カバー２１の収納部カバー２３（図１２参照）と同様の収納部カバー４３により形成される。収納部カバー４３は本体部カバー４１に設けたボス孔４１ｂにネジ４２を螺合して取り付けられる。
【００４３】
収納部カバー４３の底面は下方に開閉する蓋部４３ａにより形成される。蓋部４３ａを開いて収納部カバー４３の一端に設けた開口部４３ｂを介して第４リード線１４がコネクタ収納部４４内に収納される。蓋部４３ａを閉じると蓋部４３ａの先端に設けた爪部４３ｅが収納部カバー４３の周面に係止される。そして、本体部カバー４１が本体部２に取り付けられる。
【００４４】
この時、第４リード線１４は延びた状態でコネクタ収納部４４に配置される長さに形成される。本体部カバー４１は後端を支点に回動させることにより、コネクタ１４ｂをコネクタ収納部４４内に配することができる。これにより、コネクタ１４ｂを確実にコネクタ収納部４４内に配置することができる。
【００４５】
コネクタ収納部４４は収納部カバー２４により周囲及び下面が覆われる。また、蓋部４３ａの周囲には上方に突出するリブ４３ｄが設けられる。これにより、本体部２上に覆水した際に、導体が露出するコネクタ１４ｂの浸水を防止することができる。また、蓋部４３ａの厚みによってコネクタ１４ｂと本体部２とが離れるため、安全規格上の沿面距離を確保し易くなる。
【００４６】
また、コネクタ収納部４４の底面を形成する蓋部４３ａは本体部２の上面に対して隙間Ｄを有している。これにより、本体部４４上に覆水した際のコネクタ１４ｂの浸水をより確実に防止することができるとともに、安全規格上の沿面距離をより確保し易くなる。
【００４７】
本実施形態によると、扉２の操作部５から第１、第２リード線１１、１２が左右に分岐して本体部２の左右端に第３、第４リード線１３、１４が設けられ、第１、第３リード線１１、１４の接続または第２、第４リード線１２、１４の接続によって操作部５に給電できるので、扉４の開閉方向を変更する際に配線の取り回し作業を必要としない。また、接続された第１、第３リード線１１、１３を接続部カバー２１で覆い、第２、第４リード線１２、１４をそれぞれ扉カバー３１及び本体部カバー４１で覆うので、第１〜第４リード線１１〜１４を容易に隠蔽することができる。従って、扉４の開閉方向を容易に変更することができる。
【００４８】
また、第１、第３リード線１１、１３の先端に設けたコネクタ１１ｂ、１３ｂの周囲及び下方を覆ってコネクタ１１ｂ、１３ｂを収納するコネクタ収納部２４（第１コネクタ収納部）を設けたので、本体部２上で覆水した際のコネクタ１１ｂ、１３ｂの浸水を防止することができる。また、コネクタ収納部２４の底面の厚みによってコネクタ１１ｂ、１３ｂと本体部２とが離れるため、安全規格上の沿面距離を確保し易くなる。
【００４９】
また、コネクタ収納部２４の底面を形成する蓋部２３ａが本体部２の上面に対して隙間Ｄを有するので本体部２上で覆水した際のコネクタ１１ｂ、１３ｂの浸水をより確実に防止することができる。また、隙間Ｄにより安全規格上の沿面距離をより確保し易くなる。
【００５０】
同様に、コネクタ収納部４４により本体部２上で覆水した際のコネクタ１４ｂの浸水を防止することができ、蓋部４３ａと本体部２との隙間Ｄによりコネクタ１４ｂの浸水をより確実に防止することができる。また、安全規格上の沿面距離を確保し易くなる。
【００５１】
また、第２リード線１２の先端に設けたコネクタ１２ｂの周囲及び下方を覆ってコネクタ１２ｂを収納するコネクタ収納部３４（第２コネクタ収納部）を設けたので、扉４上で覆水した際のコネクタ１２ｂの浸水を防止することができる。また、コネクタ収納部３４の底面の厚みによってコネクタ１２ｂと扉４とが離れるため、安全規格上の沿面距離を確保し易くなる。
【００５２】
また、コネクタ収納部３４の底面を形成する蓋部３３ａが扉４の上面に対して隙間Ｄを有するので扉４上で覆水した際のコネクタ１２ｂの浸水をより確実に防止することができる。また、隙間Ｄにより安全規格上の沿面距離をより確保し易くなる。
【００５３】
また、コネクタ収納部３４から第２リード線１２の先端が突出した際に底面を形成する蓋部３３ａが閉じられないようにしたので、第２リード線１２のコネクタ１２ｂを確実にコネクタ収納部３４内に配置することができる。
【００５４】
また、操作部５が扉４の左右方向の中央部に配置されるとともに下端が扉４の下端まで延びて形成され、第１、第２リード線１１、１２が扉４の下端に沿って左右に延びるとともに扉４の側端に沿って上方に延びるので、開閉方向が変更されても操作部５が同様の使用勝手になる。また、発泡断熱材４ａの流れが阻害されず、扉４の凹みによる不良を低減することができる。
【００５５】
本実施形態において、第２、第４リード線１２、１４を接続した際には接続部カバー２１により第２、第４リード線１２、１４が覆われ、扉カバー３１及び本体部カバー４１によりそれぞれ第１、第３リード線１１、１３が覆われる。この時、扉カバー３１及び本体部カバー４１を兼用することができる。接続部カバー２１を兼用可能なようにヒンジ部２１ｃの後方にコネクタ収納部２４を設けてもよい。
【産業上の利用可能性】
【００５６】
本発明によると、扉の開閉方向を右開きと左開きとに変更できる冷蔵庫に利用することができる。
【符号の説明】
【００５７】
１    冷蔵庫
２    本体部
２ａ、４ａ  発泡断熱材
３    貯蔵室
４    扉
５    操作部
１１〜１４  第１〜第４リード線
１１ｂ〜１４ｂ  コネクタ
２１    接続部カバー
２１ａ、３１ａ、４１ａ  ボス
２３、３３、４３  収納部カバー
２３ａ、３３ａ、４３ａ  蓋部
２３ｂ、２３ｃ、３３ｂ、４３ｂ  開口部
２４、３４、４４  コネクタ収納部
３１    扉カバー
４１    本体部カバー
【図１】
2010216780.tif 000003
【図２】
2010216780.tif 000004
【図３】
2010216780.tif 000005
【図４】
2010216780.tif 000006
【図５】
2010216780.tif 000007
【図６】
2010216780.tif 000008
【図７】
2010216780.tif 000009
【図８】
2010216780.tif 000010
【図９】
2010216780.tif 000011
【図１０】
2010216780.tif 000012
【図１１】
2010216780.tif 000013
【図１２】
2010216780.tif 000014
【図１３】
2010216780.tif 000015
【図１４】
2010216780.tif 000016
【図１５】
2010216780.tif 000017